(57)【要約】【課題】棒鋼製品等の長尺物を保管するための可動棚であって、簡単な構造が採られることで、製作コストが軽減され、メンテナンスも容易となるようにする。【解決手段】支柱１に高さ方向に適宜間隔を離して複数本の棚部材５ａ〜５ｄを夫々略鉛直上向姿勢から水平張出姿勢まで回転可能なるように軸支し、該各棚部材に付勢手段７ａ〜７ｄを設けることで該各棚部材が最下段の棚部材５ｄを除いて常態では略鉛直上向姿勢に保持されるようにするとともに、該各棚部材の下段の棚部材の軸支部から遠い部分と上段の棚部材の軸支部からそれより近い部分とを所定長のワイヤ８ａ〜８ｃによって互いに連結し、下段の棚部材に長尺物１０が載置されて水平張出姿勢まで回転したときその直ぐ上段の棚部材が該ワイヤによって水平張出姿勢となる途中まで引っ張られるようにした。【選択図】　図１
2004035191.tif 000002
【特許請求の範囲】
【請求項１】
支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該各棚部材の下段の棚部材の軸支部から遠い部分と上段の棚部材の軸支部からそれより近い部分とを所定長のワイヤによって互いに連結し、下段の棚部材に長尺物が載置されて水平張出姿勢まで回転したときその直ぐ上段の棚部材が該ワイヤによって水平張出姿勢となる途中まで引っ張られるようにしたことを特徴とする長尺物保管用可動棚。
【請求項２】
付勢手段は各棚部材の後端部に固着した重錘である請求項１に記載の長尺物保管用可動棚。
【発明の詳細な説明】
【０００１】
【発明の属する技術分野】
本発明は棒鋼製品等の長尺物を保管するための可動棚の構造に関するものである。
【０００２】
【従来の技術】
棚部材が複数段に設けられていてクレーン等によって吊って搬送される棒鋼製品等の長尺物を立体的に保持し得るようにする長尺物保管装置には、従来から例えば特許３１１７３４３に示されたように、リンクとカム兼用バランサ等からなる連繋機構、或いは、特開平０８−７３０１２に示されたように、リンクとワイヤとプーリ等からなる連繋機構が各棚部材間に設けられ、該棚部材上に乗せられた長尺物の重量によってその上段の棚部材が旋回し水平状態になることで、収納，搬出が簡単にできるようにしたものが知られている。
【０００３】
【発明が解決しようとする課題】
しかしながら従来の上記長尺物保管装置は、機構が複雑であったのでメンテナンスがよくないとリンク，プーリ等の摩擦力が大きくなって棚部材が正常に旋回しなくなるおそれがあるとともに、製作コストが高くならざるを得ないものであった。
そこで本発明は、非常に簡単な構造が採られることで、製作コストが大幅に軽減され、メンテナンスも容易となる長尺物保管用可動棚を提供しようとするものである。
【０００４】
【課題を解決するための手段】
そのために本発明に係る長尺物保管用可動棚は、支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該各棚部材の下段の棚部材の軸支部から遠い部分と上段の棚部材の軸支部からそれより近い部分とを所定長のワイヤによって互いに連結し、下段の棚部材に長尺物が載置されて水平張出姿勢まで回転したときその直ぐ上段の棚部材が該ワイヤによって水平張出姿勢となる途中まで引っ張られるようにしたことを特徴とする。
また本発明は、上記長尺物保管用可動棚における付勢手段が各棚部材の後端部に固着した重錘であることを特徴とする。
【０００５】
【発明の実施の形態】
次に図面に従い本発明の実施の形態を説明する。図１は本発明に係る長尺物保管用可動棚の横断面図、図２はそのＡ−Ａ線断面図、図３〜図６は図１の作動状態図である。同図中、１，２は基部３上に所定間隔を隔てて鉛直に樹立された２本一対のＨ形鋼からなる支柱である。一方の支柱１にはその高さ方向に適宜間隔を離して軸支部４ａ〜４ｄを設け、棚部材５ａ〜５ｄの回転軸６ａ〜６ｄを支持することで該各棚部材５ａ〜５ｄを回転可能なるように軸支している。該各棚部材５ａ〜５ｄの後端部は重錘７ａ〜７ｄが固着され、該重錘による付勢により該各棚部材５ａ〜５ｃは略鉛直上向姿勢に回転した状態で保持される。なお、最下段の棚部材５ｄについては重錘７ｄが接地部上に当接することにより水平から約３０度上向の姿勢にて保持される。（図中、仰角α＝３０度）。
【０００６】
また、８ａ〜８ｃは各棚部材５ａ〜５ｄを連結しているワイヤで、ワイヤ８ａは一端を下段の棚部材５ｂの軸支部４ｂから距離Ｌ１だけ隔てた部分に連結し、他端を上段の棚部材５ａの軸支部４ａから距離Ｌ２だけ隔てた部分に連結し、該距離Ｌ１は該距離Ｌ２よりも少し短くしている。言い換えれば、下段の棚部材５ｂの軸支部４ｂから遠い部分と上段の棚部材５ａの軸支部４ａからそれより近い部分とをワイヤ８ａによって連結することによりその回転にともなう引っ張り距離が上段の棚部材に対して増加するように設定している。また、該ワイヤ８ａは下段の棚部材５ｂが水平張出姿勢まで回転したとき上段の棚部材５ａを引っ張り、該棚部材５ａを水平から約３０度上向の姿勢、即ち、水平張出姿勢となる途中まで回転し得るような長さに設定される。同様に、棚部材５ｂと棚部材５ｃとをワイヤ８ｂによって連結し、棚部材５ｃと棚部材５ｄとをワイヤ８ｃによって連結している。
【０００７】
また、他方の支柱２には高さ方向に適宜間隔を離して支持片９ａ〜９ｄが固着され、棚部材５ａ〜５ｄが水平張出姿勢となったとき該支持片上に該各棚部材の先端部を支持し得るようにしている。
【０００８】
この可動棚では、いま図１に示したように棚部材５ａ〜５ｃが略鉛直上向姿勢に回転した状態で保持され棚部材５ｄが水平から約３０度上向の姿勢にて保持されているとき、該棚部材５ｄ上に棒鋼製品等の重量のある長尺物１０をクレーン（図示せず）等から降ろして載置すると、その荷重で該棚部材５ｄは図３に示したように水平張出姿勢まで回転しワイヤ８ｃを引っ張るのでその直ぐ上段の棚部材５ｃを水平から約３０度上向の姿勢となるまで回転させる。そのとき、ワイヤ８ｂには長さに余裕があることから上段の棚部材５ｂを回転させることはない。
【０００９】
また、該棚部材５ｃ上にさらに長尺物１０を載置すると、図４に示したようにその荷重で該棚部材５ｃは水平張出姿勢まで回転しワイヤ８ｂを引っ張るのでさらにその直ぐ上段の棚部材５ｂを水平から約３０度上向の姿勢となるまで回転させる。そのとき、ワイヤ８ａには長さに余裕があることから上段の棚部材５ａを回転させることはない。そしてさらに該棚部材５ｂ上に長尺物１０を載置することでワイヤ８ａが引っ張られ図５に示したように棚部材５ａを水平から約３０度上向の姿勢となるまで回転させる。そして図６に示したように該棚部材５ａ上にも長尺物１０を載置できるようになる。このため、長尺物１０をクレーン等から降ろすだけで、その間隔に次々と自動的に棚部材が水平張出姿勢となり、手間を要さず簡単に多数の長尺物を省スペースで立体的に保管することができる。
【００１０】
また、搬出に際しては、上段の長尺物から順にクレーン等で吊り上げてゆけば、棚部材は重錘の付勢により自動的に略鉛直上向姿勢に戻るので、吊り上げの邪魔になることなく次々と容易に搬出することができる。
【００１１】
なお、この実施形態では棚部材を常態で略鉛直上向姿勢に保持する付勢手段として各棚部材の後端部に重錘を固着したが、バネを付勢手段としてもよい。また、棚部材の段数については必要に応じ増減できることは言うまでもない。
【００１２】
【発明の効果】
このように本発明に係る長尺物保管用可動棚は、支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該各棚部材の下段の棚部材の軸支部から遠い部分と上段の棚部材の軸支部からそれより近い部分とを所定長のワイヤによって互いに連結し、下段の棚部材に長尺物が載置されて水平張出姿勢まで回転したときその直ぐ上段の棚部材が該ワイヤによって水平張出姿勢となる途中まで引っ張られるようにしたので、付勢手段とワイヤによる非常に簡単な構造が採られ製作コストが大幅に軽減することができ、メンテナンスも容易で故障のおそれが極めて少ないなど顕著な効果がある。
【図面の簡単な説明】
【図１】本発明の実施形態を示す長尺物保管用可動棚の横断面図。
【図２】図１のＡ−Ａ線断面図。
【図３】図１の長尺物保管用可動棚の作動状態図。
【図４】図１の長尺物保管用可動棚の作動状態図。
【図５】図１の長尺物保管用可動棚の作動状態図。
【図６】図１の長尺物保管用可動棚の作動状態図。
【符号の説明】
１　　　　　支柱
４ａ〜４ｄ　軸支部
５ａ〜５ｄ　棚部材
６ａ〜６ｄ　回転軸
７ａ〜７ｄ　重錘
８ａ〜８ｃ　ワイヤ
１０　　　　長尺物
【図１】
2004035191.tif 000003
【図２】
2004035191.tif 000004
【図３】
2004035191.tif 000005
【図４】
2004035191.tif 000006
【図５】
2004035191.tif 000007
【図６】
2004035191.tif 000008